(57)【要約】      （修正有）【課題】商品陳列器具として、細い棒状体や薄い板状体を商品の構成要素の一つまたは大部分あるいは全部とする商品を多用な陳列形態でその全体の形姿を見易く陳列する陳列器具を提供する。【解決手段】一面１１に可動台摺動溝１２ を形成し該溝１２の両垂直側面１３ａ，１３ｂと底面１４の所定個所に後記する可動台２の軌条係合溝２３ａ〜２６ｂの内特定の溝に係合して、これを案内すると共に該可動台２の前記可動台摺動溝１２からの抜け脱を阻止するための突条１５ａ，１５ｂと１６ａ，１６ｂとを形成した固定台１と、一面２１ａに取り付け溝２２を形成し該溝２２内に一面側からスリット４１を設けた弾性部材４を嵌着し各角部近傍に前記突条が係合する突条係合溝２３ａ〜２６ｂを設け前記固定台１の可動台摺動溝１２に嵌合摺動する可動台２とで構成する。【選択図】図１
0003109317.tif 000002
【実用新案登録請求の範囲】
【請求項１】
一面１１に溝１２を形成し、該可動台摺動溝１２の両垂直側面１３ａ，１３ｂの所定個所に後記する可動台２に形成した突条係合溝２３ａ〜２６ｂの内の特定の突条係合溝に係合して、これを案内すると共に該可動台２の前記可動台摺動溝１２の上部開口側からの抜け脱を阻止するための突条１５ａ，１５ｂを形成した固定台１と、一面２１ａの中央部に取り付け溝２２を形成し該取り付け溝２２内にスリット４１を設けた弾性部材４を嵌着し各角部近傍に前記突条が係合する突条係合溝２３ａ〜２６ｂを刻設し前記固定台１の可動台摺動溝１２に嵌合摺動する可動台２とで構成したことを特徴とする商品の陳列器具。
【請求項２】
請求項１記載の固定台１は、その一面１１の中央部に形成した可動台摺動溝１２が、その両垂直側面１３ａ，１３ｂならびに底面１４の各々の所定個所に後記する可動台２に形成した突条係合溝２３ａ〜２６ｂの内の特定の複数個の突条係合溝に係合してこれを案内すると共に該可動台２の前記可動台摺動溝１２の上部開口側からの抜け脱を阻止するための突条１５ａ，１５ｂと１６ａ，１６ｂを形成した構成であることを特徴とする商品の陳列器具。
【請求項３】
請求項１または２記載の固定台１は、その一面１１の中央部に形成した可動台摺動溝１２を、前記可動台２が摺動可能な溝幅でかつ前記可動台２の辺長Lの１／３を最深とする溝深となるように構成したことを特徴とする商品の陳列器具。
【請求項４】
請求項１または２記載の突条１５ａ，１５ｂと１６ａ，１６ｂが、固定台１に設けた可動台摺動溝１２を構成する両垂直側面１３ａ，１３ｂならびに底面１４ａ，１４ｂの所定個所に形成したスリット１７ａ，１７ｂと１８ａ，１８ｂとに板状部材を挿着した構成であることを特徴とする商品の陳列器具。
【請求項５】
請求項１または２記載の突条１５ａ，１５ｂと１６ａ，１６ｂが、固定台１に設けた可動台摺動溝１２を構成する両垂直側面１３ａ，１３ｂならびに底面と１４の所定個所に前記固定台１形成時一体に構成したものであることを特徴とする商品の陳列器具。
【請求項６】
請求項１，２，４または５記載の突条１５ａ，１５ｂと１６ａ，１６ｂは、前記固定台１の全長よりも短く形成して、両垂直側面１３ａ，１３ｂならびに底面１４前記前記固定台１の両端または一方の端部に前記突条１５ａ，１５ｂと１６ａ，１６ｂの突出が無い可動台挿入案内部１９ａ，１９ｂを構成したことを特徴とする商品の陳列器具。
【請求項７】
請求項１記載の可動台２が、前記可動台摺動溝１２の幅よりも若干小寸でかつその溝深の３倍の辺長Ｌからなる正方形の断面を有するものであることを特徴とする商品の陳列器具。
【請求項８】
請求項１および７に記載の可動台２が、一面２１の中央部に辺長Lの１／３の幅で深さが任意深さの取り付け溝２２を削設して、それぞれの各面２１ａ〜２１ｄの角部近傍で、前記可動台摺動溝１２内の各突条１５ａ，１５ｂと１６ａ，１６ｂが、何れの挿入形態においても対向する位置に突条係合溝２３ａ〜２６ｂをその全長に亘って設けたものであることを特徴とする商品の陳列器具。
【請求項９】
請求項１記載の弾性部材４は、これを断面コ字状の保持枠を介して可動台２の取り付け溝２２内に嵌設したことを特徴とする商品の陳列器具。
【請求項１０】
請求項１ならびに８記載の弾性部材４が、多気泡合成樹脂であることを特徴とする商品の陳列器具。
【考案の詳細な説明】
【技術分野】
【０００１】
この考案は、細い棒状体や薄い板状体を商品の構成要素の一部または大部分あるいは全部とする商品の陳列器具に係り、更に詳述すれば複数個の前記商品を複数の陳列形態での陳列することが可能な商品の陳列器具に関するものである。
【背景技術】
【０００２】
特許文献1で開示されている商品の陳列器具は、断面を構成する直径または辺長よりも十分に長さの長いいわゆる 不安定な商品をしっかりと立てて見栄えもよく、さらには汎用性をも備えた陳列補助用具として、 硬質プラスチック製の箱形状であって、多数の孔を並んだ状態で設けた長尺状の２枚の孔空き板部により両面を構成し、一方の孔空き板部に形成された孔と他方の孔空き板部に形成された孔のサイズを異なるようにし裏返しにして使用することで異なったサイズの商品を立てた状態で並べて陳列することができシュリンク包装した商品であってもぐらつくことがなく、硬質プラスチック製としたので耐久性があり見栄えもよいと言うものである。
【０００３】
また、特許文献２で開示されている商品の陳列器具は、吊り下げ形態と載せ置き形態のいずれにも簡単に組み立てることができ、物品を安定に陳列 できる十分な強度を発現できる構造の陳列装置として、 吊り下げ形態では、四枚の平板からなる角筒組織の全体を平らに折り畳んだ状態に固定し、正面平板と前記四枚の平板をほぼ垂直にして吊り下げ設置することで、第１の棚組織第２の棚組織が間隔をおいて上下に配置される。載せ置き形態では、前記角筒組織を矩形角筒の形に折り曲げ、前記四枚の平板の一つと第２の棚組織の底面を台上に接して載置することで、第２の棚組織と、前記四枚ある平板の一つの上に底面が接した第１の棚組織とをひな壇状に配置した構成のものである。
【０００４】
さらに、特許文献３で開示されている商品の陳列器具は、簡易な構造で指輪の盗難を防止することのできる指輪収納ケースであって、 指輪リング部に通された紐にストッパー片を取り付け、このストッパー片を指輪台の貫通溝部内を通して、貫通溝部の裏側に配置させ、この状態で指輪リング部を貫通溝部に挿入して陳列する構成のものである。
【０００５】
【特許文献１】特開平８‐１４０７８６号明細書
【特許文献２】特開２０００‐０６１７９６号明細書
【特許文献３】特開平６‐０３０４０１号公報
【考案の開示】
【考案が解決しようとする課題】
【０００６】
特許文献１で開示されている「商品の陳列器具」は、断面を構成する直径または辺長よりも十分に長さの長いいわゆる不安定な商品をしっかりと立てて展示することができるので見栄えもよく、さらには汎用性をも備えた陳列補助用具ではあるが、商品の陳列形態が一様であって、商品の配置位置も固定でありチューブ入り化粧品と言う特定商品の陳列に限られたもので、細い棒状体や薄い板状体を商品の構成要素の一つまたは大部分あるいは全部とする商品の陳列は不可能である。
【０００７】
特許文献２で開示されている「商品の陳列器具」は、吊り下げ形態と載せ置き形態のいずれにも簡単に組み立てることができ、物品を安定に陳列 できると言うものであるが、商品の配置位置が固定であり特定商品の陳列に限られ、細い棒状体や薄い板状体を商品の構成要素の一つまたは大部分あるいは全部とする商品の陳列は不可能である。
【０００８】
特許文献３で開示されている「商品の陳列器具」は、陳列台板に平行に設けと複数本の貫通溝に商品の一部を挿入展示する形態のものであるが、前記陳列台板は固定でありしかも前記溝は前記陳列台板を貫通しているので細い棒状体や薄い板状体を商品の構成要素の一つまたは大部分あるいは全部とする商品の最初の挿着状態で安定して保持できず、またその全体の形姿を見易く陳列するために複数の陳列形態とって陳列することは不可能である。
【課題を解決するための手段】
【０００９】
この考案は、前述した各課題を解決すると共に、細い棒状体や薄い板状体を商品の構成要素の一つまたは大部分あるいは全部とする商品をその全体の形姿を見易く陳列することを目的とするものである。
【００１０】
前記目的を達成する手段として、この考案の商品陳列器具は、一面に可動台摺動溝を形成し該溝の両垂直側面の所定個所に後記する可動台の突条係合溝に係合してこれを案内すると共に該可動台の前記可動台摺動溝からの抜け脱を阻止するための突条を形成した長尺の固定台と、一面に取り付け溝を形成し、該溝内に一面側からスリットを設けた弾性部材を嵌着し各角部近傍に前記突条が係合する突条係合溝を設け前記固定台の可動台摺動溝に嵌合摺動する長尺の可動台とで構成することで解決できる。
【００１１】
また、前記固定台の一面中央部に形成した可動台摺動溝が、その底面ならびに両垂直側面のおのおのの所定個所に後記する可動台の軌条係合溝に係合してこれを案内すると共に該可動台の前記可動台摺動溝からの抜け脱を阻止するための突条を形成し、前記可動台が摺動可能な溝幅でかつ前記可動台の辺長Lの１／３を最深とする溝深で構成すると共に前記突条が前記固定台に設けた可動台摺動溝を構成する両垂直側面と底面の所定個所に形成したスリットに板状部材をその両端部または一方の端部に可動台挿入案内部が形成するように挿着するか固定台に設けた可動台摺動溝を構成する底面ならびに両垂直側面と底面の所定個所に前記固定台形成時に一体に構成することで達成できる。
【００１２】
また、前記した可動台を、前記可動台摺動溝の幅よりも若干小寸でかつその溝深の３倍の一辺からなる断面が正方形で、その一面中央部に辺長の１／３の幅で深さが任意深さの取り付け溝を削設して、それぞれの各面の角部近傍で、前記可動台摺動溝内の各突条が、何れの挿入形態においても個々に係合し得る位置に突条係合溝をその全長に亘って設け、弾性部材を断面コ字状の保持枠を介して可動台の溝内に配設して、この弾性部材を多気泡合成樹脂とすることで達成できる。
【考案の効果】
【００１３】
請求項１記載の考案は、一面に溝を形成し該溝の両垂直側面の所の定個所に後記する可動台を案内すると共に該可動台の前記溝からの抜け脱を阻止するための突条を形成した所定長の固定台と、一面に取り付け溝を形成し該溝に一面側からにスリットを設けた弾性部材を嵌着し各面の角部近傍に前記突条が係合する突条係合溝を設け前記固定台の可動台摺動溝内に嵌合摺動する所定長の可動台とで構成したので、細い棒状体や薄い板状体を商品の構成要素の一つまたは大部分あるいは全部とする商品をその全体の形姿を見易く陳列することができる。
【００１４】
請求項２〜５記載の考案は、可動台の一面に形成した可動台摺動溝が、その底面ならびに両垂直側面のおのおのの所定個所に後記する可動台の軌条係合溝に係合してこれを案内すると共に該可動台の前記可動台摺動溝からの抜け脱を阻止するための突条を形成し、前記可動台摺動溝は前記可動台が摺動可能な溝幅でかつ前記可動台の辺長Ｌの１／３を最深とする溝深であって前記突条が固定台に設けた可動台摺動溝を構成する底面ならびに両垂直側面の所定個所に形成したスリットに板状部材をその全長に亘って挿着した構成かまたは前記突条が固定台に設けた可動台摺動溝を構成する底面ならびに両垂直側面の所定個所に前記固定台形成時に一体に構成し、さらに突条を前記固定台の全長よりも短く形成して前記固定台の両端または一方の端部に可動台挿入案内部を構成したので、固定台の可動台摺動溝への挿着が容易でしかも細い棒状体や薄い板状体を商品の構成要素の一つまたは大部分あるいは全部とする商品をその全体の形姿を見易く陳列することができる。
【００１５】
請求項７〜１０記載の可動台が、前記可動台摺動溝の幅よりも若干小寸でかつその溝深の３倍の一辺からなる正方形であり、一面中央部に辺長の１／３の幅で深さが任意深さの取り付け溝を削設して、それぞれの各面の角部近傍で前記可動台摺動溝内の各突条が何れの挿入形態においても対向係合し得る位置に突条係合溝をその全長に亘って設け前記弾性部材を断面コ字状の保持枠を介して可動台の溝内に配設して前記弾性部材が多気泡合成樹脂であるよう構成したので,複数の陳列形態と取ることが可能で、細い棒状体や薄い板状体を商品の構成要素の一つまたは大部分あるいは全部とする商品をその全体の形姿を見易く陳列することができる。
【考案を実施するための最良の形態】
【００１６】
この考案を実施するための最良の形態は、少なくとも一面に可動台摺動溝を形成し該可動台摺動溝の両垂直側面でその所定個所に後記する可動台の軌条係合溝に係合してこれを案内すると共に該可動台の前記溝からの抜け脱を阻止するための突条を形成した固定台と、一面に取り付け溝を形成し該溝に一面側からスリットを設けた弾性部材を嵌着し各角部近傍に前記突条が係合する軌条係合溝を設け前記固定台の可動台摺動溝に嵌合摺動する可動台とで構成することである。
【００１７】
さらに、前記固定台は、その一面に形成した可動台摺動溝の底面ならびに両垂直側面のおのおのの所定個所に後記する可動台の軌条係合溝に係合してこれを案内すると共に該可動台の前記可動台摺動溝からの抜け脱を阻止するための突条を形成し前記可動台摺動溝は前記可動台が摺動可能な溝幅でかつ前記可動台の辺長の１／３を最深とする溝深であって前記突条が固定台に設けた可動台摺動溝を構成する底面ならびに両垂直側面の所定個所に形成したスリットに板状部材をその全長に亘って挿着した構成かまたは前記突条が固定台に設けた可動台摺動溝を構成する底面ならびに両垂直側面の所定個所に前記固定台形成時一体に構成するとよい。
【００１８】
また、前記可動台を、前記可動台摺動溝の幅よりも若干小寸でかつその溝深の３倍の一辺からなる正方形であり、一面中央部に辺長の１／３の幅で深さが任意深さの取り付け溝を削設して、それぞれの各面の角部近傍で、前記可動台摺動溝内の各突条が、何れの挿入形態においても対向する溝に個々に係合し得る位置に突条係合溝をその全長に亘って設ける構成にするとよい。
【００１９】
加えて前記弾性部材を、断面コ字状の保持枠を介して可動台の溝内に配設して、前記弾性部材が多気泡合成樹脂であるよう構成するとよい。
【実施例１】
【００２０】
この考案の商品陳列器具ＤＡは、図１,図４,図８〜図１０に示すように、一面１１の中央部に可動台摺動溝１２を全長に亘って形成し、該可動台摺動溝１２の両垂直側面１３a,１３ｂと底面１４の所定個所に後記する可動台２の突条係合溝２３a，２３ｂ〜２６ａ,２６ｂのうち、特定の４個の溝に係合してこれを案内すると共に該可動台２の前記可動台摺動溝１２の開口側からの抜け脱を阻止するための突条１５a，１５ｂと１６ａ，１６ｂを形成した長尺固定台１と、一面２１中央部に取り付け溝２２を形成して該取り付け溝溝２２に一面側からスリット４１を設けた弾性部材４を嵌着し各角部近傍に前記突条１５a,１５bが係合する軌条係合溝２３a,２３ｂを設け前記固定台１の可動台摺動溝１２内に嵌合摺動する長尺の可動台２とで構成する。
以下、この考案の一実施例を図面を用いて具体的にその各構成を説明する。
【００２１】
固定台１は、図２，図４に示すように木材，合成樹脂材あるいは軽金属材をもって作成する。
木材で作成する場合には、所定の厚みと陳列器具として適した大きさ、例えば３ｃｍ程度の厚さと１２ｃｍ程度の幅で、５０ｃｍ程度の長さを有する断面が長方形の板材を用い、その一面１１の中央部に断面が方形の可動台摺動溝１２をその全長に亘って削設し、前記可動台摺動溝１２を構成する両垂直側面１３a,１３ｂならびに底面１４の各々の所定個所に、後記する可動台２の８個の突条係合溝２３ａ,２３ｂ〜２６ａ,２６ｂのうち特定の４個に係合してこれを案内すると共に該可動台２の前記可動台摺動溝１２の開口側からの抜け脱を阻止するための突条１５ａ,１５ｂと１６ａ,１６ｂを形成する。
【００２２】
前記した可動台摺動溝１２は、図２，図５および図１１に示すように、前記可動台２が摺動可能な溝幅でかつ前記可動台２の辺長Ｌの約１／３を最深とする溝深であって、この可動台摺動溝１２には図６に示すように、硬質の板状部材をもって前記固定台１の全長よりも短く形成した突条１５ａ,１５ｂと１６ａ,１６ｂが、前記可動台摺動溝１２を構成する両垂直側面１３ａ，１３ｂならびに底面１４の所定個所で固定台１の全長に亘って形成したスリット（細い溝）１７ａ，１７ｂと１８ａ，１８ｂ内に前記固定台１の両端部または一方の端部に可動台２の前記可動台摺動溝１２内への挿入を容易にするための可動台挿入案内部１９ａ，１９ｂが形成すると共に前記底面１４ならびに両垂直側面１３ａ，１３ｂから前記可動台２の突条係合溝２３ａ,２３ｂ〜２６ａ,２６ｂの深さよりも若干短めに突出するように挿着する。突条１５ａ,１５ｂならびに１６ａ,１６ｂの可動台摺動溝１２内突出側角部には予め面取りを施しておくことが望ましい。
【００２３】
さらに、アルミニュームのような軽金属材で作成する場合には、ダイスを用いて型抜きにより、一面中央部に断面が方形の可動台摺動溝を設け、前記可動台摺動溝の底面ならびに両垂直側面の所定個所に、前記固定台形成時一体に形成する。
【００２４】
可動台２は、図３，図４に示すように、木材，合成樹脂材あるいは軽金属材をもって作成する。
木材で作成する場合には、図３に示すように、前記可動台摺動溝１２の幅よりも若干小寸でかつその溝深の３倍の一辺からなる所定の長さＬ（正方形）の角柱、例えば一辺が４ｃｍ程度で長さが前記固定台１の長さかこれよりも短めの角柱を用い、その一面２１ａの中央部には辺長Ｌの１／３の幅で深さが辺長Ｌの１／３程度の取り付け溝２２をその全長に亘って削設して、それぞれ各面２１ａ〜２１ｄの角部近傍で前記可動台摺動溝内１２内の各突条１５ａ,１５ｂと１６ａ，１６ｂが何れの挿入形態においても対向挿入する位置に８個の突条係合溝２３ａ，２３ｂ〜２６ａ，２６ｂを刻設する。実際使用時はこの８個の突条係合溝２３ａ，２３ｂ〜２６ａ，２６ｂのうち例えば４個の突条係合溝２３ａ，２３ｂと２４ａ，２４ｂに対し突条１５ａ,１５ｂと１６ａ，１６ｂが個々に係合する。
【００２５】
さらに、アルミニュームのような軽金属材で作成する場合には、ダイスを用いて型抜きにより、前記固定台の溝に嵌合摺動する所定の厚みと長さとを有する断面が正方形の板材の一面中央部に断面が方形の溝を削設して、各面の角部近傍に前記突条が係合する溝を全長に亘って設ける。
【００２６】
前記可動台２の取り付け溝２２内に嵌着して商品Ｇを挿着保持する弾性部材４は、図７に示すように、多気泡合成樹脂すなわち「スポンジ」を前記可動台２の取り付け溝２２の溝幅より若干幅広を一辺とし溝深を他辺とする断面長方形の棒状に加工し、一面の中央部に前記一面とは反対側の面に達っするスリット４１を設け、図１に示すように前記移動台２の長さよりも短いかあるいは等しい長さのものである。
【００２７】
また商品Ｇを挿着保持する弾性部材４は、図示してないが前記取り付け溝２２の溝幅の１／２の溝幅よりも若干幅広の２本の弾性部材を並列させる構成でもよい。  
この弾性部材４はそのまま直接可動台２の取り付け溝２２内にスリット４１の開穴面が前記溝の開口側に位置するように挿着する。
また、図７に示すようにアルミニュームのような軽金属で作った前記可動台２の取り付け溝２２内に嵌合できる各辺長の断面がコ字状で、図１に示すように前記移動台２の長さよりも短いかまたは等しい長さの保持枠３を介して挿着してもよい。
【００２８】
また、弾性部材４としては、ゴム等の弾性体で作った前記取り付け溝２２の溝幅の１／２よりも若干大径の筒状体または棒状体の２本を溝幅方向に並ぶように挿入し、前記２本の弾性体間に細い棒状体や薄い板状体を商品の構成要素の一つまたは大部分あるいは全部とする商品Ｇを挿着するようにしてもよい。
【００２９】
この考案の商品陳列器具ＤＡは、以上の各構成部材からなり、弾性部材４を先ず保持枠３内にスリット４１開穴面が前記保持枠３の開口側に位置するように挿着する。
次に、図３に示すように、この保持枠３を可動台２の取り付け溝２２内に挿着してから、この可動台２の保持枠取り付け側すなわち一面側２１を上方に向けて、図２に示す固定台１の一方の端面側から可動台摺動溝１２内に挿入する。
この挿入に当たっては図２に示すように可動台挿入案内部１９ａ，１９ｂの一方に可動台２をあてがって挿入すれば、４条ある各突条１５ａ，１５ｂと１６ａ,１６ｂが対応する４個の突条係合溝２３ａ,２３ｂと２４ａ，２４ｂ内にそれぞれ嵌合する。この状態で更に押し込めば図1，８および図１０に示すように可動台を前記固定台１の可動台摺動溝１２内に容易く挿入することができる。
【００３０】
この考案の商品陳列器具ＤＡとしての第一の陳列形態としては、図１，９および図１１に示すように、前述した可動台２の取り付け溝２２が上方に位置する形態で、前記弾性部材４のスリット４１に、細い棒状体や薄い板状体を商品の構成要素の一つまたは大部分あるいは全部とする商品Ｇ、例えば図１２に示すようにへら鮒釣り用の「浮き」で釣り糸に取り付ける細い脚部側を上方から垂直に挿入し、この後同じように所定の間隔を存して複数個の「浮き」を挿入してから固定台１を下にして図示していない台や棚上に置けば細い棒状体や薄い板状体を商品の構成要素の一つまたは大部分あるいは全部とする商品Ｇを起立状態で陳列することができる。
【００３１】
この考案の商品陳列器具ＤＡとしての第二の陳列形態としては、図１３に示すように、前述した可動台２の取り付け溝２２が横方に位置する形態、すなわち前述した場合と同様に、先ず弾性部材４を挿着した保持枠３を可動台２の取り付け溝２２内に挿着してから、この保持枠３が横に向くように、可動台２を前述したと同様に、固定台１の一方の端面側から各突条１５ａ，１５ｂと１６ａ,１６ｂが対応する４個の突条係合溝２４ｂ，２６ｂと２３ａ，２５ｂまたは２４ａ，２６ａと２３ａ，２５ａに嵌合するように前記固定台１の可動台摺動溝１２内に挿入する。
これは、可動台２が正方形で、固定台１の可動台摺動溝１２の溝深が可動台２の辺長Lの１／３であるように構成してあるためである。
【００３２】
この状態で、図１１に示すように前記弾性部材４のスリット４１に、細い棒状体や薄い板状体を商品の構成要素の一つまたは大部分あるいは全部とする商品Ｇ例えば、へら鮒釣り用の「浮き」で釣り糸に取り付ける細い脚部側を側方から水平に挿入し、この後同じように所定の間隔を存して複数個の「浮き」を挿入してから、固定台１を下にして図示していない台や棚上に置けば、細い棒状体や薄い板状体を商品の構成要素の一つまたは大部分あるいは全部とする商品Ｇを水平状態で陳列することができる。
【００３３】
この考案の商品陳列器具ＤＡとしての前記第一の陳列形態としては、固定台１を水平な面上におくことで、細い棒状体や薄い板状体を商品の構成要素の一つまたは大部分あるいは全部とする商品Ｇを垂直に起立した状態で陳列でき、また第二の陳列形態としては、固定台１を垂直な面に適当な固定手段を用いて取り付ければ前記した第一の陳列形態と同等に商品Ｇを垂直に起立した状態で陳列することができる。
【００３４】
前記固定台１が図示していない前記固定台１に２本の可動台２を可動台摺動溝１２の左右から前記溝の半分までそれぞれ挿入して使用すれば、倍の量の細い棒状体や薄い板状体を商品の構成要素の一つまたは大部分あるいは全部とする商品Ｇが陳列できる。
【産業上の利用可能性】
【００３５】
この考案は、細い棒状体や薄い板状体を商品の構成要素の一つまたは大部分あるいは全部とする商品Ｇ、例えば川釣り用の浮きや簪等をその全体の形姿を見易く陳列する陳列器具として利用可能である。
【図面の簡単な説明】
【００３６】
【図１】この考案の商品陳列器具全体の斜視図
【図２】商品陳列器具の構成体の一つである固定台の斜視図
【図３】商品陳列器具の構成体の一つである可動台の斜視図
【図４】図1のＡ−Ａ断線における端面図
【図５】図２のＢ−Ｂ断線における端面図
【図６】商品陳列器具の構成体の一つである突条の斜視図
【図７】商品陳列器具の構成体の一つである取り付け枠に弾性体を嵌着した状態の斜視図
【図８】商品陳列器具全体の側面図
【図９】商品陳列器具全体の平面図
【図１０】商品陳列器具の構成体の一つである固定台の平面図
【図１１】固定台に対し可動台の摺動状態を示す部分斜視図
【図１２】弾性体に商品を挿着した状態の側面図
【図１３】この考案の他の陳列態様である商品陳列器具全体の斜視図
【符号の説明】
【００３７】
１              固定台
１１            一面
１２            可動台摺動溝
１３ａ，１３ｂ  垂直側面
１４            底面
１５ａ，１５ｂ  突条
１６ａ，１６ｂ  突条
１７ａ，１７ｂ  スリット
１８ａ，１８ｂ  スリット
１９ａ，１９ｂ  可動台挿入案内部
２              可動台
２１ａ〜２１ｄ  面（一面）
２２            取り付け溝
２３ａ，２３ｂ  突条係合溝
２４ａ，２４ｂ  突条係合溝
２５ａ，２５ｂ  突条係合溝
２６ａ，２６ｂ  突条係合溝
３              保持枠
４              弾性体
４１            スリット
ＤＡ            商品陳列器具
Ｇ              商品
【図１】
0003109317.tif 000003
【図２】
0003109317.tif 000004
【図３】
0003109317.tif 000005
【図４】
0003109317.tif 000006
【図５】
0003109317.tif 000007
【図６】
0003109317.tif 000008
【図７】
0003109317.tif 000009
【図８】
0003109317.tif 000010
【図９】
0003109317.tif 000011
【図１０】
0003109317.tif 000012
【図１１】
0003109317.tif 000013
【図１２】
0003109317.tif 000014
【図１３】
0003109317.tif 000015
【手続補正書】
【提出日】平成16年11月8日(2004.11.8)
【手続補正１】
【補正対象書類名】実用新案登録請求の範囲
【補正対象項目名】全文
【補正方法】変更
【補正の内容】
【実用新案登録請求の範囲】
【請求項１】
一面１１に可動台摺動溝１２を形成し、該可動台摺動溝１２の両垂直側面１３ａ，１３ｂの所定個所に後記する可動台２に形成した突条係合溝２３ａ〜２６ｂのうち特定の複数個の突条係合溝に係合して、これを溝の長さ方向に案内すると共に該可動台２の前記可動台摺動溝１２の開口側からの抜け脱を阻止するための突条１５a,１５ｂを形成した固定台１と、一面２１ａの中央部に取り付け溝２２を形成し該取り付け溝２２内にスリット４１を設けた弾性部材４を嵌着し各角部近傍に前記突条と係合する突条係合溝２３ａ〜２６ｂを刻設した前記固定台１の可動台摺動溝１２内に嵌合摺動する可動台２とで構成したことを特徴とする商品の陳列器具。
【請求項２】
請求項１記載の固定台１は、その一面１１側の中央部に可動台摺動溝１２を前記固定台１の全長に亘って形成し、前記可動台摺動溝１２の両垂直側面１３ａ，１３ｂならびに底面１４の各々の所定個所に後記する可動台２の各面の所定個所でその全長に亘って形成した突条係合溝２３ａ〜２６ｂのうち、特定の３面に形成した各突条係合溝にそれぞれ係合して前記可動台摺動溝１２内において前記可動台２を溝長方向に案内すると共に該可動台２が前記可動台摺動溝１２の開口側からの抜け脱を阻止するための突条１５ａ，１５ｂと１６ａ，１６ｂをそれぞれ前記可動台摺動溝１２内に前記突条係合溝２３ａ〜２６ｂの溝深よりも若干短い長さだけ突出するように形成した構成であることを特徴とする商品の陳列器具。
【請求項３】
請求項１または２記載の固定台１は、その一面１１の中央部に形成した可動台摺動溝１２を、前記可動台摺動溝１２が摺動可能な溝幅でかつ前記可動台２の辺長Ｌの１／３を最深とする溝深となるように構成したことを特徴とする商品の陳列器具。
【請求項４】
請求項１または２記載の突条１５ａ，１５ｂと１６ａ，１６ｂは、固定台１に設けた可動台摺動溝１２を構成する両垂直側面１３ａ，１３ｂならびに底面１４の所定個所で前記側面ならびに底面の全長に亘って形成したスリット１７ａ，１７ｂと１８ａ，１８ｂ内に板状部材の幅方向の一辺側を挿着し、他辺側が前記可動台摺動溝１２内に前記突条係合溝２３ａ〜２６ｂの溝深よりも若干短い長さだけ突出した構成であることを特徴とする商品の陳列器具。
【請求項５】
請求項１または２記載の前記可動台摺動溝１２内に突出した突条１５ａ，１５ｂと１６ａ，１６ｂが、固定台１に設けた可動台摺動溝１２を形成する両垂直側面１３ａ，１３ｂならびに底面１４の所定個所に前記可動台摺動溝１２の形成時にその全長に亘って前記突条係合溝２３ａ〜２６ｂの溝深よりも若干短い長さだけ固定台１と一体に形成したことを特徴とする商品の陳列器具。
【請求項６】
請求項１，２，４または５記載の前記可動台摺動溝１２内に突出した突条１５ａ，１５ｂと１６ａ，１６ｂは、前記固定台１の全長よりも短く形成して、両垂直側面１３ａ，１３ｂならびに底面１４で、前記固定台１の両端または一方の端部に前記突条１５ａ，１５ｂと１６ａ，１６ｂの前記可動台摺動溝１２内への突出が無い可動台挿入案内部１９ａ，１９ｂをそれぞれ構成したことを特徴とする商品の陳列器具。
【請求項７】
請求項１記載の可動台２が、前記可動台摺動溝１２の幅よりも若干小寸でかつその溝深の３倍の辺長Ｌからなる正方形の断面を有するものであることを特徴とする商品の陳列器具。
【請求項８】
請求項１および７に記載の可動台２は、一面２１の中央部に辺長Ｌの１／３の幅で深さが任意深さの取り付け溝２２をその全長に亘って削設して、それぞれの各面２１ａ〜２１ｄの角部近傍で、前記可動台摺動溝１２内の各突条１５ａ，１５ｂと１６ａ，１６ｂが、前記可動台２を前記可動台摺動溝１２内に対し何れの挿入形態においても対向する位置に突条係合溝２３ａ〜２６ｂをそれぞれその全長に亘って設けたことを特徴とする商品の陳列器具。
【請求項９】
請求項１記載の弾性部材４は、これを断面コ字状の保持枠を介して可動台２の取り付け溝２２内に嵌設したことを特徴とする商品の陳列器具。
【請求項１０】
請求項１ならびに８記載の弾性部材４が、多気泡合成樹脂であることを特徴とする商品の陳列器具。
【手続補正書】
【提出日】平成17年2月2日(2005.2.2)
【手続補正１】
【補正対象書類名】実用新案登録請求の範囲
【補正対象項目名】全文
【補正方法】変更
【補正の内容】
【実用新案登録請求の範囲】
【請求項１】
一面に可動台摺動溝を形成し、該可動台摺動溝の両垂直側面の所定個所に後記する可動台に形成した突条係合溝のうち特定の複数個の突条係合溝に係合して、これを溝の長さ方向に案内すると共に該可動台の前記可動台摺動溝の開口側からの抜け脱を阻止するための突条を形成した固定台と、一面の中央部に取り付け溝を形成し該取り付け溝内にスリットを設けた弾性部材を嵌着し各角部近傍に前記突条と係合する突条係合溝を刻設した前記固定台の可動台摺動溝内に嵌合摺動する可動台とで構成したことを特徴とする商品の陳列器具。
【請求項２】
請求項１記載の固定台は、断面が矩形でその幅広面の一面側中央部に可動台摺動溝を前記固定台の全長に亘って形成し、前記可動台摺動溝の両垂直側面には後記する可動台の各面の所定個所でその全長に亘って形成した２本づつの突条係合溝のうちそれぞれその面の下側に位置する各突条係合溝にそれぞれ係合する突状を前記突条係合溝の溝深よりも若干短い長さだけ前記可動台摺動溝内に突出させて設け、さらに前記可動台摺動溝の底面には後記する可動台の各面の所定個所でその全長に亘って形成した２本づつの突条係合溝のうち下面でそれぞれその面の両側近傍に位置する各突条係合溝にそれぞれ係合する２本の突状を前記突条係合溝の溝深よりも若干短い長さだけ前記可動台摺動溝内に突出させて設けた構成であることを特徴とする商品の陳列器具。
【請求項３】
請求項１または２記載の固定台は、その一面の中央部に形成した可動台摺動溝を、前記可動台摺動溝が摺動可能な溝幅でかつ前記可動台の辺長Ｌの１／３を最深とする溝深となるように構成したことを特徴とする商品の陳列器具。
【請求項４】
請求項１または２記載の突条は、板状の部材からなり、固定台に形成した可動台摺動溝の両垂直側面で後記する可動台の各面の所定個所でその全長に亘って形成した２本づつの突条係合溝のうちそれぞれその面の下側に位置する各突条係合溝と対向する位置で前記垂直側面の全長に亘って設けたスリット内に前記板状部材の幅方向の一辺側を挿着し他辺側が前記可動台摺動溝内に前記突条係合溝の深さよりも若干短い長さだけ突出した構成であって、さらに前記可動台摺動溝の底面には後記する可動台の各面の所定個所でその全長に亘って形成した２本づつの突条係合溝のうち下面に位置する２本の突条係合溝と対向する位置で前記底面の全長に亘って設けたスリット内に前記板状部材の幅方向の一辺側を挿着し他辺側が前記可動台摺動溝内に前記突条係合溝の深さよりも若干短い長さだけ突出した構成であることを特徴とする商品の陳列器具。
【請求項５】
請求項１または２記載の突条は、固定台に形成した可動台摺動溝の両垂直側面で後記する可動台の各面の所定個所でその全長に亘って形成した２本づつの突条係合溝のうちそれぞれその面の下側に位置する各突条係合溝と対向する位置で前記垂直側面の全長に亘って前記可動台摺動溝の深さよりも若干短い長さだけ、また前記可動台摺動溝の底面には後記する可動台の各面の所定個所でその全長に亘って形成した２本づつの突条係合溝のうち下面に位置する２本の突条係合溝と対向する位置で前記底面の全長に亘って前記可動台摺動溝の深さよりも若干短い長さだけそれぞれ前記固定台と一体に形成したことを特徴とする商品の陳列器具。
【請求項６】
請求項１,２,４または５記載の突条は、固定台に形成した可動台摺動溝の両垂直側面で後記する可動台の各面の所定個所でその全長に亘って形成した２本づつの突条係合溝のうちそれぞれその面の下側に位置する各突条係合溝と対向する位置で前記垂直側面の全長よりも若干短く前記可動台摺動溝の深さよりも若干短い長さであって、また前記可動台摺動溝の底面には後記する可動台の各面の所定個所でその全長に亘って形成した２本づつの突条係合溝のうち下面に位置する２本の突条係合溝と対向する位置で前記底面の全長よりも若干短く前記可動台摺動溝の深さよりも若干短い長さとすることで、前記突条の前記可動台摺動溝内への突出が無い可動台挿入案内部をそれぞれ固定台に構成できるようにしたことを特徴とする商品の陳列器具。
【請求項７】
請求項１記載の可動台が、前記可動台摺動溝の幅よりも若干小寸でかつその溝深の３倍の辺長Ｌからなる正方形の断面を有するものであることを特徴とする商品の陳列器具。
【請求項８】
請求項１および７に記載の可動台は、前記固定台の可動台摺動溝の溝幅より若干短い長さを一辺とする断面が方形で、その一面の中央部に辺長Ｌの１／３の幅で深さが任意深さの取り付け溝をその全長に亘って形成し、各面で角部近傍に前記可動台の摺動溝内の両側面の各１本と底面の２本の突条が、前記可動台を前記可動台摺動溝内に対し何れの挿入形態においても対向する位置に突条係合溝をそれぞれその全長に亘って設けたことを特徴とする商品の陳列器具。
【請求項９】
請求項１記載の弾性部材は、これを断面コ字状の保持枠を介して可動台の取り付け溝内に嵌設したことを特徴とする商品の陳列具。
【請求項１０】
請求項１ならびに８記載の弾性部材が、多気泡合成樹脂であることを特徴とする商品の陳列器具。
【手続補正２】
【補正対象書類名】明細書
【補正対象項目名】全文
【補正方法】変更
【補正の内容】
【考案の詳細な説明】
【技術分野】
【０００１】    この考案は商品の陳列器具に係り、更に詳述すれば複数個の商品を複数の陳列形態での陳列が可能な商品の陳列器具に関するものである。
【背景技術】
【０００２】  特許文献1で開示されている商品の陳列器具は、断面を構成する直径または辺長よりも十分に長さの長いいわゆる 不安定な商品をしっかりと立てて見栄えもよく、さらには汎用性をも備えた陳列補助用具として、 硬質プラスチック製の箱形状であって、多数の孔を並んだ状態で設けた長尺状の２枚の孔空き板部により両面を構成し、一方の孔空き板部に形成された孔と他方の孔空き板部に形成された孔のサイズを異なるようにし、裏返しにして使用することで異なったサイズの商品を立てた状態で並べて陳列することができシュリンク包装した商品であってもぐらつくことがなく、硬質プラスチック製としたので耐久性があり見栄えもよいと言うものである。【０００３】  また、特許文献２で開示されている商品の陳列器具は、吊り下げ形態と載せ置き形態のいずれにも簡単に組み立てることができ、物品を安定に陳列 できる十分な強度を発現できる構造の陳列装置として、 吊り下げ形態では、四枚の平板からなる角筒組織の全体を平らに折り畳んだ状態に固定し、正面平板と前記四枚の平板をほぼ垂直にして吊り下げ設置することで、第１の棚組織第２の棚組織が間隔をおいて上下に配置される。載せ置き形態では、前記角筒組織を矩形角筒の形に折り曲げ、前記四枚の平板の一つと第２の棚組織の底面を台上に接して載置することで、第２の棚組織と、前記四枚ある平板の一つの上に底面が接した第１の棚組織とをひな壇状に配置した構成のものである。【０００４】  さらに、特許文献３で開示されている商品の陳列器具は、簡易な構造で指輪の盗難を防止することのできる指輪収納ケースであって、 指輪リング部に通された紐にストッパー片を取り付け、このストッパー片を指輪台の貫通溝部内を通して、貫通溝部の裏側に配置させ、この状態で指輪リング部を貫通溝部に挿入して陳列する構成のものである。【０００５】
【特許文献１】特開平８‐１４０７８６号明細書
【特許文献２】特開２０００‐０６１７９６号明細書
【特許文献３】特開平６‐０３０４０１号公報
【考案の開示】
【考案が解決しようとする課題】
【０００６】  特許文献１で開示されている「商品の陳列器具」は、断面を構成する直径または辺長よりも十分に長さの長いいわゆる不安定な商品をしっかりと立てて見栄えもよく、さらには汎用性をも備えた陳列補助用具ではあるが、商品の陳列形態が一様であって、商品の配置位置も固定であり特定商品の陳列に限られたもので、細い棒状体や薄い板状体を有する商品の陳列は不可能である。【０００７】  特許文献２で開示されている「商品の陳列器具」は、吊り下げ形態と載せ置き形態のいずれにも簡単に組み立てることができ、物品を安定に陳列 できると言うものであるが、商品の配置位置が固定であり特定商品の陳列に限られ、細い棒状体や薄い板状体を有する商品の陳列は不可能である。【０００８】  特許文献３で開示されている「商品の陳列器具」は、陳列台板に平行に設けと複数本の貫通溝に商品の一部を挿入展示する形態のものであるが前記陳列台板は固定なので、商品をその全体の形姿を見易く陳列するために複数の陳列形態とって陳列することは不可能である。
【課題を解決するための手段】
【０００９】  この考案は、前述した各課題を解決すると共に、細い棒状体や薄い板状体を商品の構成要素の一つまたは大部分あるいは全部とする商品をその全体の形姿を見易く陳列することを目的とするものである。【００１０】  前記目的を達成する手段として、この考案の商品陳列器具は、一面に可動台摺動溝を形成し、該可動台摺動溝の両垂直側面の所定個所に後記する可動台に形成した突条係合溝のうち特定の複数個の突条係合溝に係合して、これを溝の長さ方向に案内すると共に該可動台の前記可動台摺動溝の開口側からの抜け脱を阻止するための突条を形成した固定台と、一面の中央部に取り付け溝を形成し該取り付け溝内にスリットを設けた弾性部材を嵌着し各角部近傍に前記突条と係合する突条係合溝を刻設した前記固定台の可動台摺動溝内に嵌合摺動する可動台とで構成することで解決できる。【００１１】  また、固定台は、断面が矩形でその幅広面の一面側中央部に可動台摺動溝を前記固定台の全長に亘って形成し、前記可動台摺動溝の両垂直側面には後記する可動台の各面の所定個所でその全長に亘って形成した２本づつの突条係合溝のうちそれぞれその面の下側に位置する各突条係合溝にそれぞれ係合する突状を前記突条係合溝の溝深よりも若干短い長さだけ前記可動台摺動溝内に突出させて設け、さらに前記可動台摺動溝の底面には後記する可動台の各面の所定個所でその全長に亘って形成した２本づつ突条係合溝のうち下面でそれぞれその面の両側近傍に位置する各突条係合溝にそれぞれ係合する２本の突状を前記突条係合溝の溝深よりも若干短い長さだけ前記可動台摺動溝内に突出させて設けた構成する個で達成できる。【００１２】    さらに、可動台は、前記固定台の可動台摺動溝の溝幅より若干短い長さを一辺とする断面が方形で、その一面の中央部に辺長Ｌの１／３の幅で深さが任意深さの取り付け溝をその全長に亘って形成し、各面で角部近傍に前記可動台の摺動溝内の両側面の各１本と底面の２本の突条が、前記可動台を前記可動台摺動溝内に対し何れの挿入形態においても対向する位置に突条係合溝をそれぞれその全長に亘って設けることで達成できる。
【考案の効果】
【００１３】  請求項１記載の考案は、一面に可動台摺動溝を形成し、該可動台摺動溝の両垂直側面の所定個所に後記する可動台に形成した突条係合溝のうち特定の複数個の突条係合溝に係合して、これを溝の長さ方向に案内すると共に該可動台の前記可動台摺動溝の開口側からの抜け脱を阻止するための突条を形成した固定台と、一面の中央部に取り付け溝を形成し該取り付け溝内にスリットを設けた弾性部材を嵌着し各角部近傍に前記突条と係合する突条係合溝を刻設した前記固定台の可動台摺動溝内に嵌合摺動する可動台とで構成したので、細い棒状体や薄い板状体を商品の構成要素の一つまたは大部分あるいは全部とする商品をその全体の形姿を見易く陳列することができる。【００１４】  請求項２〜５記載の考案は、固定台は、断面が矩形でその幅広面の面側中央部に可動台摺動溝を前記固定台の全長に亘って形成し、前記可動台摺動溝の両垂直側面には後記する可動台の各面の所定個所でその全長に亘って形成した２本づつの突条係合溝のうちそれぞれその面の下側に位置する各突条係合溝にそれぞれ係合する突状を前記突条係合溝の溝深よりも若干短い長さだけ前記可動台摺動溝内に突出させて設け、さらに前記可動台摺動溝の底面には後記する可動台の各面の所定個所でその全長に亘って形成した２本づつ突条係合溝のうち下面でそれぞれその面の両側近傍に位置する各突条係合溝にそれぞれ係合する２本の突状を前記突条係合溝の溝深よりも若干短い長さだけ前記可動台摺動溝内に突出させて設けた、また固定台に形成した可動台摺動溝の両垂直側面で後記する可動台の各面の所定個所でその全長に亘って形成した２本づつの突条係合溝のうちそれぞれその面の下側に位置する各突条係合溝と対向する位置で前記垂直側面の全長よりも若干短く前記可動台摺動溝の深さよりも若干短い長さであって、また前記可動台摺動溝の底面には後記する可動台の各面の所定個所でその全長に亘って形成した２本づつの突条係合溝のうち下面に位置する２本の突条係合溝と対向する位置で前記底面の全長よりも若干短く前記可動台摺動溝の深さよりも若干短い長さとすることで、前記突条の前記可動台摺動溝内への突出が無い可動台挿入案内部をそれぞれ固定台に構成するか、もしくは固定台に形成した可動台摺動溝の両垂直側面で後記する可動台の各面の所定個所でその全長に亘って形成した２本づつの突条係合溝のうちそれぞれその面の下側に位置する各突条係合溝と対向する位置で前記垂直側面の全長に亘って前記可動台摺動溝の深さよりも若干短い長さだけ、また前記可動台摺動溝の底面には後記する可動台の各面の所定個所でその全長に亘って形成した２本づつの突条係合溝のうち下面に位置する２本の突条係合溝と対向する位置で前記底面の全長に亘って前記可動台摺動溝の深さよりも若干短い長さだけそれぞれ前記固定台と一体に形成したので、細い棒状体や薄い板状体を商品の構成要素の一つまたは大部分あるいは全部とする商品をその全体の形姿を見易く陳列することができる。【００１５】  請求項６〜９記載の可動台が、前記可動台摺動溝の幅よりも若干小寸でかつその溝深の３倍の一辺からなる正方形であり、一面中央部に辺長の１／３の幅で深さが任意深さの取り付け溝を削設して、それぞれの各面の角部近傍で、前記可動台摺動溝内の各突条が、何れの挿入形態においても対向係合し得る位置に突条係合溝をその全長に亘って設け前記弾性部材を断面コ字状の保持枠を介して可動台の溝内に配設して前記弾性部材が多気泡合成樹脂であるよう構成したので細い棒状体や薄い板状体を商品の構成要素の一つまたは大部分あるいは全部とする商品をその全体の形姿を見易く陳列することができる。
【考案を実施するための最良の形態】
【００１６】  この考案の最良の形態としては、一面に可動台摺動溝を形成し、該可動台摺動溝の両垂直側面の所定個所に後記する可動台に形成した突条係合溝のうち特定の複数個の突条係合溝に係合して、これを溝の長さ方向に案内すると共に該可動台の前記可動台摺動溝の開口側からの抜け脱を阻止するための突条を形成した固定台と、一面の中央部に取り付け溝を形成し該取り付け溝内にスリットを設けた弾性部材を嵌着し各角部近傍に前記突条と係合する突条係合溝を刻設した前記固定台の可動台摺動溝内に嵌合摺動する可動台とで構成するとよい。【００１７】  また、固定台は、断面が矩形でその幅広面の一面側中央部に可動台摺動溝を前記固定台の全長に亘って形成し、前記可動台摺動溝の両垂直側面には後記する可動台の各面の所定個所でその全長に亘って形成した２本づつの突条係合溝のうちそれぞれその面の下側に位置する各突条係合溝にそれぞれ係合する突状を前記突条係合溝の溝深よりも若干短い長さだけ前記可動台摺動溝内に突出させて設け、さらに前記可動台摺動溝の底面には後記する可動台の各面の所定個所でその全長に亘って形成した２本づつ突条係合溝のうち下面でそれぞれその面の両側近傍に位置する各突条係合溝にそれぞれ係合する２本の突状を前記突条係合溝の溝深よりも若干短い長さだけ前記可動台摺動溝内に突出させて設けるとよい。【００１８】 さらに、可動台は、前記固定台の可動台摺動溝の溝幅より若干短い長さを一辺とする断面が方形で、その一面の中央部に辺長Ｌの１／３の幅で深さが任意深さの取り付け溝をその全長に亘って形成し、各面で角部近傍に前記可動台の摺動溝内の両側面の各１本と底面の２本の突条が、前記可動台を前記可動台摺動溝内に対し何れの挿入形態においても対向する位置に突条係合溝をそれぞれその全長に亘って設けるとよい。【００１９】  加えて前記弾性部材を、断面コ字状の保持枠を介して可動台の溝内に配設して、前記弾性部材が多気泡合成樹脂であるよう構成するとよい。
【実施例１】
【００２０】  この考案の商品陳列器具ＤＡは、図１に示すように、一面１１に可動台摺動溝１２を形成し、該溝１２の両垂直側面１３a,１３ｂと底面１４の所定個所に後記する可動台２の突条係合溝２３a，２３ｂ〜２６ａ,２６ｂの内特定の４個の溝に係合してこれを案内すると共に該可動台２の前記可動台摺動溝１２からの抜け脱を阻止するための突条１５a，１５ｂと１６ａ，１６ｂを形成した固定台１と、一面２１に取り付け溝２２を形成して、該溝２２に一面側からスリット４１を設けた弾性部材４を嵌着し各角部近傍に前記突条１５a,１５bが係合する軌条係合溝２３a,２３ｂを設け前記固定台１の可動台摺動溝１２内に嵌合摺動する可動台２とで構成する。以下、具体的に各構成を説明する。【００２１】  固定台１は、図１に示すように木材，合成樹脂材あるいは軽金属材をもって作成する。  木材で作成する場合には、所定の厚みと長さとを有する断面が矩形で所定の長さの板材を用い、その一面１１の中央部に断面が方形の可動台摺動溝１２を削設して、その両垂直側面１３a,１３ｂならびに底面１４のおのおのの所定個所に後記する可動台２の８個の軌条係合溝２３ａ,２３ｂ〜２６ａ,２６ｂの内特定の４個に係合してこれを案内すると共に該可動台２の前記可動台摺動溝１２からの抜け脱を阻止するための突条１５ａ,１５ｂと１６ａ,１６ｂを形成する。【００２２】  前記した可動台摺動溝１２は、図５に示すように、前記可動台２が摺動可能な溝幅でかつ前記可動台２の辺長Ｌの１／３を最深とする溝深であって、前記突条１５ａ,１５ｂと１６ａ,１６ｂが、固定台１に設けた可動台摺動溝１２を構成する底面１４ならびに両垂直側面１３ａ，１３ｂの所定個所に固定台１の全長に亘って形成したスリット（細い溝）１７ａ，１７ｂと１８ａ，１８ｂ内に板状部材をその全長に亘って前記底面１４ならびに両垂直側面１３ａ，１３ｂから前記可動台２の突条係合溝２３ａ,２３ｂ〜２６ａ,２６ｂの深さよりも若干短めに突出するように挿着する。突条１５ａ,１５ｂならびに１６ａ,１６ｂの可動台摺動溝１２内突出側角部は面取りを施す。【００２３】  さらに、アルミニュームのような軽金属材で作成する場合には、ダイスを用いて型抜きにより、一面中央部に断面が方形の可動台摺動溝を設け、前記可動台摺動溝の底面ならびに両垂直側面の所定個所に、前記固定台形成時一体に形成する。【００２４】  可動台２は、図２に示すように、木材，合成樹脂材あるいは軽金属材をもって作成する。  木材で作成する場合には、図６に示すように、前記可動台摺動溝１２の幅よりも若干小寸でかつその溝深の３倍の一辺からなる所定の長さＬ（正方形）の角柱を用い、その一面２１ａの中央部には辺長Ｌの１／３の幅で深さが辺長Ｌの１／４程度の取り付け溝２２を削設して、それぞれの各面２１ａから２１ｄの四面の角部近傍で、前記可動台摺動溝内１２内の各突条１５ａ,１５ｂと１６ａ，１６ｂが何れの挿入形態においても対向する突条係合溝２３ａ，２３ｂ〜２６ａ，２６ｂの６個のうち例えば４個の突条係合溝２３ａ，２３ｂと２４ａ，２４ｂに個々に係合し得る位置に前記各突条係合溝をその全長に亘って設ける。【００２５】  さらに、アルミニュームのような軽金属材で作成する場合には、ダイスを用いて型抜きにより、前記固定台の溝に嵌合摺動する所定の厚みと長さとを有する断面が正方形の板材の一面中央部に断面が方形の溝を削設して、各面の角部近傍に前記突条が係合する溝を全長に亘って設ける。【００２６】 前記可動台２の取り付け溝内２２に嵌着して商品を挿着保持する弾性部材４は、多気泡合成樹脂すなわち「スポンジ」を前記可動台の取り付け溝２２の溝幅より若干幅広を一辺とし溝深を他辺とする断面方形の棒状に加工し、一面の中央部に前記一面とは反対側の面に達しない程度のスリット４１を設け、前記移動台２の長に等しい長さのたものである。【００２７】 また前記取り付け溝２２の溝幅の１／２の溝幅よりも若干幅広の２本の弾性部材を並列させる構成でもよい。 この弾性部材４はそのまま直接可動台２の取り付け溝２２内にスリット４１の開穴面が前記溝の開口側に位置するように挿着する。 また、図６に示すようにアルミニュームのような軽金属で作った前記可動台２の取り付け溝２２内に嵌合できる辺長の断面コ字状で前記移動台２の長に等しい長さの保持枠３を介して挿着してもよい。【００２８】 また、弾性部材４としてはゴム等の弾性体で作った前記溝の幅の１／２よりも若干大径の筒状体または棒状体の２本を溝幅方向に並ぶように挿入し、前記２本の弾性体間に商品を挿着するようにしてもよい。【００２９】  この考案の商品陳列器具ＤＡは、以上の各構成部材からなり、弾性部材４を先ず保持枠３内にスリット４１開穴面が前記保持枠３の開口側に位置するように挿着する。  次に、この保持枠３を可動台２の取り付け溝２２内に挿着してから、この可動台２の保持枠取り付け側すなわち一面側２１を上方に向けて、固定台１の一方の端面側から可動台摺動溝１２内に４条ある各突条１５ａ，１５ｂと１６ａ,１６ｂが対応する４個の突条係合溝２３ａ,２３ｂと２４ａ，２４ｂ内にそれぞれ嵌合するように位置合わせをしてから前記固定台１の可動台摺動溝内１２に挿入する。【００３０】  この考案の商品陳列器具ＤＡとしての第一の陳列形態としては、図１０に示すように、前述した可動台２の取り付け溝２２が上方に位置する形態で、前記弾性部材４のスリット４１に、細い棒状体や薄い板状体を商品の構成要素の一つまたは大部分あるいは全部とする商品G、例えば図９に示すようにへら鮒釣り用の「浮き」で釣り糸に取り付ける細い脚部側を上方から垂直に挿入し、この後同じように所定の間隔を存して複数個の「浮き」を挿入してから、固定台１を下にして図示していない台や棚上に置けば、商品Ｇを起立状態で陳列することができる。【００３１】 この考案の商品陳列器具ＤＡとしての第二の陳列形態としては、図示はしていないが、前述した可動台２の取り付け溝２２が横方に位置する形態で、前述した場合と同様に、先ず弾性部材４を挿着した保持枠３を可動台２の取り付け溝２２内に挿着してから、この保持枠３が横に向くように、可動台２を前述したと同様に、固定台１の一方の端面側から各突条１５ａ，１５ｂと１６ａ,１６ｂが対応する４個の突条係合溝２４ｂ，２６ｂと２３ａ，２５ｂまたは２４ａ，２６ａと２３ａ，２５ａに嵌合するように前記固定台１の可動台摺動溝１２内に挿入する。 これは、可動台２が正方形で、固定台１の可動台摺動溝���２の溝深が可動台２の辺長Lの１／３であるように構成してあるためである。【００３２】 この状態で、前記弾性部材４のスリット４１に、細い棒状体や薄い板状体を商品の構成要素の一つまたは大部分あるいは全部とする商品Ｇ例えば、へら鮒釣り用の「浮き」で釣り糸に取り付ける細い脚部側を側方から水平に挿入し、この後同じように所定の間隔を存して複数個の「浮き」を挿入してから、固定台１を下にして図示していない台や棚上に置けば、商品Ｇを水平状態で陳列することができる。【００３３】  この考案の商品陳列器具ＤＡとしての前記第一の陳列形態としては、固定台１を水平な面上におくことで、商品Ｇを垂直に起立した状態で陳列でき、また第二の陳列形態としては、固定台１を垂直な面に適当な固定手段を用いて取り付ければ前記した第一の陳列形態と同等に商品Ｇを垂直に起立した状態で陳列することができる。【００３４】 前記固定台１が図示していない前記固定台１に２本の可動台２を可動台摺動溝１２の左右から前記溝の半分までそれぞれ挿入して使用すれば、倍の量の商品Ｇが陳列できる。
【産業上の利用可能性】
【００３５】 この考案は、細い棒状体や薄い板状体を商品の構成要素の一つまたは大部分あるいは全部とする商品、例えば川釣り用の浮きや簪等をその全体の形姿を見易く陳列する陳列器具として利用可能である。
【図面の簡単な説明】
【００３６】
【図１】この考案の商品陳列器具全体の斜視図
【図２】商品陳列器具構成体の一つである固定台の斜視図
【図３】商品陳列器具構成体の一つである可動台の斜視図
【図４】図１のＡ−Ａ断線における断面図
【図５】図２のＢ−Ｂ断線における断面図
【図６】商品陳列器具構成体の一つである突条の斜視図
【図７】商品陳列器具構成体の一つである取付枠に弾性体を嵌着した状態の斜視図
【図８】商品陳列器具全体の斜視図
【図９】商品陳列器具全体の平面図
【図１０】商品陳列器具構成体の一つである固定台の平面図
【図１１】固定台に対し可動台の摺動状態を示す部分斜視図
【図１２】弾性体に商品を挿着した状態の斜視図
【図１３】この考案の他の陳列態様である商品陳列器具全体の斜視図
【符合の説明】
【００３７】  １            固定台      １１            一面１２            可動台摺動溝１３ａ，１３ｂ  垂直側面１４            底面１５ａ，１５ｂ  突条１６ａ，１６ｂ  突条１７ａ，１７ｂ  スリット１８ａ，１８ｂ  スリット２              可動台２１ａ〜２１ｄ  面（一面）２２            取り付け溝２３ａ，２３ｂ  突条係合溝２４ａ，２４ｂ  突条係合溝２５ａ，２５ｂ  突条係合溝２６ａ，２６ｂ  突条係合溝３              保持枠４              弾性体４１            スリットＤＡ            商品陳列器具Ｇ              商品